(57)【特許請求の範囲】
【請求項１】
電波式の無線リモコンと、同無線リモコン及び無線機器と電波を介して通信を行う室内機とを備え、これらの機器間でペアリングによって決定された特定機器とだけ通信を行う空気調和機であって、
前記無線リモコンと前記室内機と前記無線機器とは、自身の機器を一意に認識させるユニークな識別子をそれぞれ有しており、
前記室内機は、前記無線リモコンとの間で前記識別子をそれぞれ認識する第１ペアリングを開始するスイッチを備えており、
前記無線リモコンは、前記第１ペアリングの開始操作と、前記室内機と前記無線機器との間で行われる第２ペアリングの開始を前記室内機へ指示する操作とを行うキー入力部を備えており、
前記無線リモコンは前記キー入力部の操作により、同無線リモコンの前記第１ペアリングを開始する一方、前記室内機は前記スイッチの操作により前記第１ペアリングを開始し、前記無線リモコンと前記室内機とは前記第１ペアリングにより互いの識別子を認識して前記ペアリングの処理を終了し、
前記無線機器のペアリング開始操作により、同無線機器の前記第２ペアリングを開始させる一方、前記無線リモコンは前記キー入力部の操作により前記室内機へ前記第２ペアリングの開始を指示し、同指示を受けた前記室内機は前記無線機器との間で前記第２ペアリングを開始することを特徴とする空気調和機。
【発明の詳細な説明】
【技術分野】
【０００１】
本発明は、空気調和機に係わり、より詳細には、電波式の無線リモコンで操作される室内機と、他の機器とのペアリングに関する。
【背景技術】
【０００２】
従来、空気調和機で行われるペアリングは図７に示す方法で行われていた。
図７において、家屋の１階にはサービスボタン９２が備えられた室内機９１と、この室内機９１を操作する電波式の無線リモコン９３とが設置されている。
【０００３】
無線リモコン９３には表示部９４とキー入力部９５とが備えられており、温度設定や風量・風向などの指示を室内機９１に対して行うようになっている。ただし、電波式の無線リモコン９３の場合、赤外線リモコンに比較して広範囲に指示が可能なため、誤って意図しない室内機を操作してしまうおそれがある。このため、室内機９１と無線リモコン９３との間だけで指示の伝達を可能にするため、ペアリングと呼ばれる処理を行う。
【０００４】
通常、このペアリングでは、自身の機器に備えられているユニークな識別子を互いの機器で認識する処理を行い、ペアリング完了以降は、この相手以外の識別子を持つ機器からの通信を無視するようにしている。
【０００５】
例えば、図７において、無線リモコン９３は＃１２３の識別子を、また、室内機９１は＃４５６の識別子を持っていた場合、ユーザーが操作した特定操作により、無線リモコン９３側からペアリング要求データを自身の識別子である＃１２３と共に、ペアリング受付期間（１分間）だけ間欠的に送信する。
【０００６】
一方、このペアリング受付期間内に、ユーザーが室内機９１のサービスボタン９２を長押しすることで室内機９１がペアリング受付動作を開始し、ペアリング受付期間（１分間）に受信したペアリング要求データの送信元（識別子）を特定の相手と認識する。そしてこのペアリング要求データにおける識別子、この場合は＃１２３を記憶すると共に、ペアリング応答データを自身の識別子である＃４５６と共に送信する。これをペアリング受付期間に受信した無線リモコン９３は、ペアリング応答データの送信元を特定の相手と認識する。そして、＃４５６を記憶すると共に、ペアリング確認データを＃４５６の機器に対して送信する。以上がペアリング処理の一例である。
【０００７】
一方、ペアリングは無線リモコン９３だけでなく他の機器、例えば２階に設置されたパソコン８０とでも可能である。このパソコン８０は、キーボード部８１と表示部８２とパソコン本体８９とで構成され、パソコン本体８９のＵＳＢ端子にはパソコン通信部８４として無線モジュールが装着されている。
【０００８】
このパソコン８０と室内機９１とがペアリングする場合も同様であり、パソコン８０のキーボード部８１の操作により、パソコン８０側から自身の識別子である＃７８９をペアリング要求データと共に送信する。そして、ペアリング受付期間内に、ユーザーが室内機９１のサービスボタン９２を長押しすることで室内機９１がペアリング受付動作を開始し、＃７８９の記憶とペアリング応答データを自身の識別子である＃４５６と共に送信する。そして、パソコン８０からペアリング確認データを＃４５６の機器に対して送信することでペアリング処理が完了する。
【０００９】
ただし、図７のように室内機９１が１階に、また、パソコン８０が２階にある場合、ユーザーは、ペアリング受付期間内にこの２つの機器の間を移動して機器を操作する必要があり、非常に使いにくいものであった。また、ペアリング受付期間を長くすると、この期間が終了するまで他の操作や中断ができなくなり、操作性に問題があった。
【００１０】
このような問題の解決方法の１つとして、例えばリモコンで２つの機器のペアリングを取り持つ、具体的には、識別子を中継する方法が提案されている。
図８は無線通信システムの説明図である。このシステムはそれぞれ電波による無線送受信が可能な機器であるエアコン１０１と、リモコン１０２と、加湿器１０３と、テレビ１０４と、換気扇１０５とが設置されている。
【００１１】
このシステムにおいて、リモコン１０２はエアコン１０１とペアリングを行い、次に加湿器１０３とペアリングを行う。ここで、加湿器１０３とエアコン１０１とをペアリングさせたい場合、リモコン１０２の操作により、リモコン１０２からエアコン１０１に対して、記憶している加湿器１０３の識別子を送信し、同様にリモコン１０２から加湿器１０３に対して、記憶しているエアコン１０１の識別子を送信する。従って、加湿器１０３とエアコン１０１とは相互に直接ペアリングすることなく、ペアリングに必要な互いの識別子を認識できることになる。（例えば、特許文献１参照。）。
【００１２】
しかしながら、このような中継処理を図７に示す機器に適用する場合に無駄な処理が発生する。つまり、室内機９１とパソコン８０とをペアリングしたい場合、中継処理を行うためには無線リモコン９３とパソコン８０とを事前にペアリングさせておき、しかる後に無線リモコン９３から室内機９１に対してパソコン８０の識別子を、また、無線リモコン９３からパソコン８０に対して室内機９１の識別子をそれぞれ送信する必要がある。
【００１３】
無線リモコン９３とパソコン８０とを事前にペアリングさせても、その後これらの機器間でデータを送受信することは一切ないため、純粋に中継処理を行うためだけにペアリングを行うことになる。このような処理を行うためには各機器の識別子を記憶しておかねばならない。さらに、ユーザーに対してペアリングさせる相手の識別子を選択させる操作が必要であり、誤った選択をした場合、ユーザーの意図しない機器がペアリングされ、操作が混乱してしまうおそれがあった。また、中継に関する処理は通常の１対１で行うペアリング処理よりも複雑である。
このため、室内機と、無線リモコン以外の他の機器とをペアリングする場合に、ユーザーの操作が簡単であり、また、ペアリング処理も簡単な空気調和機が望まれていた。
【先行技術文献】
【特許文献】
【００１４】
【特許文献１】特開２０１１−６６８４９号公報（第９−１０頁、図１）
【発明の概要】
【発明が解決しようとする課題】
【００１５】
本発明は以上述べた問題点を解決し、室内機と、無線リモコン以外の他の機器とをペアリングする場合に、ユーザーの操作が簡単であり、また、ペアリング処理も簡単な空気調和機を提供することを目的とする。
【課題を解決するための手段】
【００１６】
本発明は上述の課題を解決するため、本発明の請求項１に記載の発明は、電波式の無線リモコンと、同無線リモコン及び無線機器と電波を介して通信を行う室内機とを備え、これらの機器間でペアリングによって決定された特定機器とだけ通信を行う空気調和機であって、
前記無線リモコンと前記室内機と前記無線機器とは、自身の機器を一意に認識させるユニークな識別子をそれぞれ有しており、
前記室内機は、前記無線リモコンとの間で前記識別子をそれぞれ認識する第１ペアリングを開始するスイッチを備えており、
前記無線リモコンは、前記第１ペアリングの開始操作と、前記室内機と前記無線機器との間で行われる第２ペアリングの開始を前記室内機へ指示する操作とを行うキー入力部を備えており、
前記無線リモコンは前記キー入力部の操作により、同無線リモコンの前記第１ペアリングを開始する一方、前記室内機は前記スイッチの操作により前記第１ペアリングを開始し、前記無線リモコンと前記室内機とは前記第１ペアリングにより互いの識別子を認識して前記ペアリングの処理を終了し、
前記無線機器のペアリング開始操作により、同無線機器の前記第２ペアリングを開始させる一方、前記無線リモコンは前記キー入力部の操作により前記室内機へ前記第２ペアリングの開始を指示し、同指示を受けた前記室内機は前記無線機器との間で前記第２ペアリングを開始することを特徴とする。
【発明の効果】
【００１７】
以上の手段を用いることにより、本発明による空気調和機によれば、すでにペアリングが完了した無線リモコンと室内機とが存在し、室内機と無線機器とをペアリングさせる場合、無線リモコンから室内機に対してペアリングの開始を指示する。
このため、室内機に備えられているスイッチを用いることなく、手元の無線リモコンを用いて無線機器と室内機とのペアリング処理を行うことができる。
【図面の簡単な説明】
【００１８】
【図１】本発明による室内機とパソコンとをペアリングさせる場合の説明図である。
【図２】本発明による室内機と無線リモコンとパソコンとの構成を説明するブロック図である。
【図３】ペアリング時に行われる操作と、各機器の処理内容と、通信データとを説明する説明図である。
【図４】無線リモコンでの処理を説明するフローチャートである。
【図５】パソコンでの処理を説明するフローチャートである。
【図６】室内機での処理を説明するフローチャートである。
【図７】従来の空気調和機におけるペアリングを説明する説明図である。
【図８】従来の無線通信システムにおけるペアリングを説明する説明図である。
【発明を実施するための形態】
【００１９】
以下、本発明の実施の形態を、添付図面に基づいた実施例として詳細に説明する。なお、ペアリング対象の機器は、後述するペアリング要求やペアリング要求待ち、ペアリング応答などの処理を行うが、これらを総称してペアリングと呼称する。
【実施例１】
【００２０】
図１は本発明による室内機１０とパソコン８０とをペアリングさせる場合の説明図である。図１において上方は家屋の２階を、下方は家屋の１階をそれぞれ示している。２階には無線リモコン３０とパソコン８０とが、また、１階には後述するペアリング処理を開始させるスイッチであるサービスボタン１５を備えた室内機１０がそれぞれ配置されている。
【００２１】
無線リモコン３０は上部に表示部３３を、下部にキー入力部３１をそれぞれ備えている。また、パソコン８０は表示部８２と、キーボード部８１と、パソコン本体８９とをそれぞれ備えており、パソコン本体８９のＵＳＢ端子にはパソコン通信部８４（無線モジュール）が装着されている。
【００２２】
各機器にはユニークな識別子が予め指定されて各記憶部に記憶されており、無線リモコン３０は＃１２３、パソコン８０のパソコン通信部８４には＃７８９、室内機１０には＃４５６がそれぞれ付与されている。次にこの識別子を用いたペアリング手順について説明する。
【００２３】
ペアリングに関しては無線リモコン３０と室内機１０、室内機１０とパソコン８０とがそれぞれの互いの識別子を認識する２つの手順がある。１つ目の手順では、最初に点線で示す無線リモコン３０と室内機１０とが共に１階にあり、これらを最初にペアリングさせる。これが第１ペアリングである。
【００２４】
まず最初にユーザーは無線リモコン３０と室内機１０とをペアリングさせるため、無線リモコン３０の『ペアリング開始操作』を行う。具体的にはメニュー項目から『ペアリング開始操作』を選択して開始ボタンを押下する。これにより無線リモコン３０は図１（１）ペアリング要求データを間欠的にペアリング受付期間（１分間）だけ送信する。なお、送信中以外はデータ受信待ちになっている。
【００２５】
一方、このペアリング受付期間内に、ユーザーが室内機１０のサービスボタン１５を長押しすることで室内機１０がペアリング要求待ち動作を開始し、ペアリング受付期間に受信したペアリング要求データの送信元を特定の相手と認識する。そしてこのペアリング要求データにおける識別子、この場合は＃１２３を記憶すると共に、図１（２）ペアリング応答データを自身の識別子である＃４５６と共に送信する。これをペアリング受付期間に受信した無線リモコン３０は、ペアリング応答データの送信元を特定の相手と認識する。そして、＃４５６を記憶すると共に、ペアリング確認データを＃４５６の機器に対して送信する。
ここまでは背景技術で説明した一般的なペアリングである。
【００２６】
次に室内機１０とパソコン８０とをペアリングさせる第２ペアリングの手順を説明する。この時、すでにペアリングが完了した無線リモコン３０を２階のパソコン８０の近辺に移動させておく。まず最初にユーザーは、パソコン８０のキーボード部８１により『ペアリング開始操作』を行う。この結果、パソコン８０は、図１（３）ペアリング要求データを間欠的にペアリング受付期間（１分間）だけ送信する。なお、送信中以外はデータ受信待ちになっている。
【００２７】
次にユーザーは無線リモコン３０を操作して『ペアリング開始指示』を行う。この結果、無線リモコン３０から室内機１０に対して図１（４）ペアリング開始指示データが送信される。これを受信した室内機１０はペアリング要求待ち動作を開始し、ペアリング受付期間に受信したペアリング要求データの送信元を特定の相手と認識する。そしてこのペアリング要求データにおける識別子、この場合は＃７８９を記憶すると共に、図１（５）ペアリング応答データを自身の識別子である＃４５６と共に送信する。これをペアリング受付期間に受信したパソコン８０は、ペアリング応答データの送信元を特定の相手と認識する。そして、＃４５６を記憶すると共に、ペアリング確認データを＃４５６の機器に対して送信する。
【００２８】
次に各機器の構成を説明する。図２は本発明による室内機１０と無線リモコン３０とパソコンとの構成を説明するブロック図である。図２（Ａ）は室内機１０、図２（Ｂ）は無線リモコン３０、図２（Ｃ）はパソコン８０をそれぞれ示している。
【００２９】
図２（Ａ）において室内機１０は、他の機器と電波を用いて通信するための室内機通信部１１と、自身や他の機器の識別子を記憶する室内機記憶部１３と、室外機２０と通信を行う通信部１２と、サービスボタン１５と、これらを制御する室内機制御部１４とを備えている。サービスボタン１５は無線リモコン３０が使用できない場合に自動運転を開始するボタンであり、これを長押しすることにより自動運転でなく、ペアリング処理を開始するようになっている。
【００３０】
図２（Ｂ）において無線リモコン３０は、他の機器と電波を用いて通信するためのリモコン通信部３４と、自身や他の機器の識別子を記憶するリモコン記憶部３２と、表示部３３と、キー操作を入力するキー入力部３１と、これらを制御するリモコン制御部３５とを備えている。
【００３１】
図２（Ｃ）においてパソコン８０は、パソコン本体８９と、表示部８２と、キー操作を入力するキーボード部８１とを備えている。また、パソコン本体８９は、他の機器と電波を用いて通信するためのパソコン通信部８４と、自身や他の機器の識別子を記憶するパソコン記憶部８３と、これらを制御するパソコン制御部８５とを備えている。なお、パソコン記憶部８３には他の機器とパソコン通信部８４を介して通信したり、通信したデータを加工して表示部８２に表示するアプリケーションソフトも記憶されており、本発明によるペアリング処理もこのアプリケーションソフトによって実行される。
【００３２】
図３は無線リモコン３０と室内機１０とパソコン８０における各処理と、通信データとを説明する説明図である。図２及び図３を用いて各機器の動作を詳細に説明する。
【００３３】
まず図３（Ａ）に示す無線リモコン３０と室内機１０との第１ペアリングについて説明する。
ユーザーは図３（Ａ）（１）にて、無線リモコン３０を操作してペアリング開始操作を行う。これをキー入力部３１を介して入力したリモコン制御部３５は、表示部３３にメニューを表示すると共に、操作されたペアリング開始指示を受け付ける。そして、リモコン記憶部３２から自身の識別子である＃１２３を読み出して、図３（Ａ）（２）ペアリング要求データとしてリモコン通信部３４から送信する。なお、送信フォーマットは、宛先：なし、送信元：＃１２３、内容：ペアリング要求である。このデータはペアリングが完了するまで、もしくは、ペアリング受付期間（１分間）が過ぎるまで間欠的に送信される。
【００３４】
一方、このペアリング要求データは室内機１０とパソコン８０とでも受信されるが、各機器の制御部は、各機器がまだペアリング開始の指示操作を受けていないため、このデータを無視する。
【００３５】
ここで、ユーザーによりサービスボタン１５の長押し操作による、図３（Ａ）（３）ペアリング開始操作があった場合、室内機制御部１４は、この操作を受け付けて、図３（Ａ）（４）ペアリング要求待ちの処理を開始する。このため、室内機制御部１４は室内機通信部１１を介してペアリング要求データを監視する。
【００３６】
この状態で図３（Ａ）（２）’ペアリング要求データが無線リモコン３０から送信されると、室内機１０はペアリング要求待ちとなっているためにこのデータを受け付ける。つまり、室内機制御部１４は室内機通信部１１を介してペアリング要求データを受信し、このデータに含まれる識別子：＃１２３をペアリング相手として室内機記憶部１３に記憶する。
【００３７】
そして、図３（Ａ）（５）ペアリング応答データを無線リモコン３０へ送信する。このペアリング応答データのフォーマットは、宛先：＃１２３、送信元：＃４５６、内容：ペアリング応答となっている。
【００３８】
このペアリング応答データをリモコン通信部３４を介して受信したリモコン制御部３５は、このデータに含まれる送信元の識別子をペアリング相手としてリモコン記憶部３２へ記憶する。そして、リモコン制御部３５は、図３（Ａ）（６）ペアリング応答確認データを室内機１０へ送信する。このフォーマットは、宛先：＃４５６、送信元：＃１２３、内容：ペアリング確認である。
【００３９】
これを受信した室内機制御部１４はペアリング完了を確認できたため、図３（Ａ）（７）ペアリング処理を完了する。
【００４０】
次に図３（Ｂ）に示す室内機１０とパソコン８０との第２ペアリングについて説明する。前提条件として、ユーザーは図３（Ａ）でペアリングを行った無線リモコン３０をパソコン８０の近辺に移動させ、どちらの機器の操作も迅速に行えるようにしておく。
【００４１】
ユーザーは図３（Ｂ）（１）にて、パソコン８０を操作してペアリング開始操作を行う。これをキーボード部８１を介して入力したパソコン制御部８５は、表示部８２にメニューを表示すると共にペアリング開始指示を受け付ける。そして、パソコン記憶部８３から自身の識別子である＃７８９を読み出して、図３（Ｂ）（２）ペアリング要求データとしてパソコン通信部８４から送信する。なお、送信フォーマットは、宛先：なし、送信元：＃７８９、内容：ペアリング要求である。このデータはペアリングが完了するまで、もしくは、ペアリング受付期間（１分間）が過ぎるまで間欠的に送信される。
【００４２】
一方、このペアリング要求データは室内機１０と無線リモコン３０とでも受信されるが、各機器の制御部は、各機器がまだペアリング開始の指示操作を受けていないため、このデータを無視する。
【００４３】
ここで、ユーザーにより、無線リモコン３０でメニュー選択による室内機１０のペアリング開始指示操作があった場合、リモコン制御部３５はこの操作を受け付けて、図３（Ｂ）（３）ペアリング開始指示データを室内機１０へ送信する。このデータの通信フォーマットは、宛先：＃４５６、送信元：＃１２３、内容：ペアリング開始指示である。
【００４４】
このデータを受信した室内機制御部１４は、図３（Ｂ）（４）ペアリング要求待ちの処理を開始する。このため、室内機制御部１４は室内機通信部１１を介してペアリング要求データを監視する。このように室内機１０は、ペアリングされた無線リモコン３０からの指示により、ペアリング要求待ちの処理を開始する機能を備えている。
【００４５】
この状態で図３（Ｂ）（２）’ペアリング要求データがパソコン８０から送信されると、室内機１０はペアリング要求待ちとなっているためにこのデータを受け付ける。つまり、室内機制御部１４は室内機通信部１１を介してペアリング要求データを受信し、このデータに含まれる識別子：＃７８９をペアリング相手として室内機記憶部１３に記憶する。
【００４６】
そして、図３（Ｂ）（５）ペアリング応答データをパソコン８０へ送信する。このペアリング応答データのフォーマットは、宛先：＃７８９、送信元：＃４５６、内容：ペアリング応答となっている。
【００４７】
このペアリング応答データをパソコン通信部８４を介して受信したパソコン制御部８５は、このデータに含まれる送信元の識別子をペアリング相手としてパソコン記憶部８２へ記憶する。そして、パソコン制御部８５は、図３（Ｂ）（６）ペアリング応答確認データを室内機１０へ送信する。このフォーマットは、宛先：＃４５６、送信元：＃７８９、内容：ペアリング確認である。
【００４８】
これを受信した室内機制御部１４はペアリング完了を確認できたため、図３（Ｂ）（７）ペアリング処理を完了する。
【００４９】
以上説明したように、すでにペアリングが完了した無線リモコン３０と室内機１０とが存在し、室内機１０と無線機器であるパソコン８０とをペアリングさせる場合、無線リモコン３０から室内機１０に対して、ペアリング開始を指示する。
このため、室内機１０とパソコン８０（無線機器）とが離れた位置に存在していても、ユーザーがこの間をペアリング処理中に移動することなく、パソコン８０（無線機器）と室内機１０とのペアリング処理を行うことができる。つまり、室内機１０に備えられているサービスボタン１５（スイッチ）を用いることなく、手元の無線リモコン３０を用いてパソコン８０（無線機器）と室内機１０とのペアリング処理を行うことができる。
【００５０】
次に図４〜図６のフローチャートを用いて各機器の制御部動作を説明する。また、図４〜図６において、ＳＴはステップを表し、これに続く数字はステップ番号を示す。また、図５中の『Ｙ』はＹｅｓを、『Ｎ』はＮｏをそれぞれ示している。
【００５１】
図４は無線リモコン３０のリモコン制御部３５の処理を示すフローチャートである。
リモコン制御部３５はまず最初に、キー入力部３１を介してキー操作が有るか確認する（ＳＴ１）。キー操作が無い場合（ＳＴ１−Ｎ）、リモコン通信部３４を介して受信データがあるか確認する（ＳＴ２）。受信データが無い場合（ＳＴ２−Ｎ）、ペアリング要求処理中か確認する（ＳＴ３）。ペアリング要求処理中でない場合（ＳＴ３−Ｎ）、ＳＴ１へジャンプする。ペアリング要求処理中の場合（ＳＴ３−Ｙ）、ペアリング要求データをリピート送信する（ＳＴ４）。
【００５２】
次にペアリング要求処理は１分間経過したか確認する（ＳＴ１５）。ペアリング要求処理が１分間経過していない場合（ＳＴ１５−Ｎ）、ＳＴ１へジャンプする。ペアリング要求処理が１分間経過した場合（ＳＴ１５−Ｙ）、ペアリング要求処理を中止、つまり、ペアリング要求データのリピート送信を中止する（ＳＴ１６）。そしてＳＴ１へジャンプする。
【００５３】
一方、受信データが有る場合（ＳＴ２−Ｙ）、受信したデータがペアリング応答データか確認する（ＳＴ５）。受信したデータがペアリング応答データである場合（ＳＴ５−Ｙ）、ペアリング要求処理中か確認する（ＳＴ６）。ペアリング要求処理中でない場合（ＳＴ６−Ｎ）、ＳＴ１へジャンプする。ペアリング要求処理中の場合（ＳＴ６−Ｙ）、ペアリング応答データの送信元の識別子をリモコン記憶部３２に記憶する（ＳＴ７）。次にペアリング確認応答データの送信元を自身の識別子：＃１２３にして、ペアリング応答データの送信元へ返信する（ＳＴ８）。そしてＳＴ１へジャンプする。
【００５４】
一方、受信したデータがペアリング応答データでない場合（ＳＴ５−Ｎ）、受信データに従って処理を行う（ＳＴ９）。このデータは室内機１０から送信される運転状況などの情報であるため、リモコン制御部３５は表示部３３にこの情報を表示してユーザーに報知する。
【００５５】
一方、キー操作が有る場合（ＳＴ１−Ｙ）、ペアリング開始指示操作か確認する（ＳＴ１０）。ペアリング開始指示操作である場合（ＳＴ１０−Ｙ）、ペアリング開始指示データの宛先を室内機１０の識別子にして室内機１０へ送信する（ＳＴ１３）。そしてＳＴ１へジャンプする。ペアリング開始指示操作でない場合（ＳＴ１０−Ｎ）、ペアリング開始操作か確認する（ＳＴ１１）。ペアリング開始操作でない場合（ＳＴ１１−Ｎ）、操作内容に従って処理を行う（ＳＴ１４）。そしてＳＴ１へジャンプする。なお、ペアリング開始操作でない操作は、例えば設定温度変更の操作などである。
【００５６】
ペアリング開始操作である場合（ＳＴ１１−Ｙ）、ペアリング要求データの送信元をリモコン記憶部３２から読み出した自身の識別子にして、ペアリング要求データをリモコン通信部３４から送信する。そしてＳＴ１へジャンプする。
【００５７】
図５はパソコン８０のパソコン制御部８５の処理を示すフローチャートである。パソコン制御部８５はまず最初に、キーボード部８１での操作があるか確認する（ＳＴ２１）。キーボード部８１での操作が無い場合（ＳＴ２１−Ｎ）、受信データが有るか確認する（ＳＴ２２）。受信データが無い場合（ＳＴ２２−Ｎ）、ペアリング要求処理中か確認する（ＳＴ２３）。
【００５８】
ペアリング要求処理中でない場合（ＳＴ２３−Ｎ）、ＳＴ２１へジャンプする。ペアリング要求処理中の場合（ＳＴ２３−Ｙ）、ペアリング要求データをリピート送信する（ＳＴ２４）。次にペアリング要求処理は１分間経過したか確認する（ＳＴ３３）。ペアリング要求処理が１分間経過していない場合（ＳＴ３３−Ｎ）、ＳＴ２１へジャンプする。ペアリング要求処理が１分間経過した場合（ＳＴ３３−Ｙ）、ペアリング要求処理を中止、つまり、ペアリング要求データのリピート送信を中止する（ＳＴ３４）。そしてＳＴ２１へジャンプする。
【００５９】
一方、受信データが有る場合（ＳＴ２２−Ｙ）、受信したデータはペアリング応答データか確認する（ＳＴ２５）。受信したデータがペアリング応答データでない場合（ＳＴ２５−Ｎ）、受信したデータに従って処理を行う（ＳＴ２９）。そしてＳＴ２１へジャンプする。なお、受信したデータがペアリング応答データでない場合、例えば室内機１０からの運転情報などであるため、予め定められたグラフなどにして表示部８２に表示し、ユーザーに報知する。
【００６０】
一方、受信したデータがペアリング応答データである場合（ＳＴ２５−Ｙ）、ペアリング要求処理中か確認する（ＳＴ２６）。ペアリング要求処理中でない場合（ＳＴ２６−Ｎ）、ＳＴ２１へジャンプする。ペアリング要求処理中である場合（ＳＴ２６−Ｙ）、ペアリング応答データの送信元識別子をパソコン記憶部８３に記憶する（ＳＴ２７）。次にペアリング確認応答データの宛先をペアリング応答データでの送信元識別子にし、また、送信元をパソコン記憶部８３から読み出した自身の識別子にして、ペアリング確認応答データを送信元へ返信する（ＳＴ２８）。そしてＳＴ２１へジャンプする。
【００６１】
一方、キーボード部８１の操作が有る場合（ＳＴ２１−Ｙ）、ペアリング開始操作か確認する（ＳＴ３０）。ペアリング開始操作でない場合（ＳＴ３０−Ｎ）、操作内容に従って処理を行う（ＳＴ３２）。そしてＳＴ２１へジャンプする。なお、ペアリング開始操作でない操作は、例えば空調運転を管理する操作などである。
【００６２】
ペアリング開始操作である場合（ＳＴ３０−Ｙ）、ペアリング要求データの送信元をパソコン記憶部８３から読み出した自身の識別子にして、ペアリング要求データをパソコン通信部８４から送信する。そしてＳＴ２１へジャンプする。
【００６３】
図６は室内機１０の室内機制御部１４の処理を示すフローチャートである。室内機制御部１４はまず最初に、サービスボタン１５の長押し操作が有るか確認する（ＳＴ４１）。サービスボタン１５の長押し操作が無い場合（ＳＴ４１−Ｎ）、受信データが有るか確認する（ＳＴ４２）。受信データが無い場合（ＳＴ４２−Ｎ）、現状の運転や停止状態を継続する（ＳＴ４３）
【００６４】
次にペアリング要求待ち処理は１分間経過したか確認する（ＳＴ５２）。ペアリング要求待ち処理が１分間経過していない場合（ＳＴ５２−Ｎ）、ＳＴ４１へジャンプする。ペアリング要求待ち処理が１分間経過した場合（ＳＴ５２−Ｙ）、ペアリング要求待ち処理を終了する（ＳＴ５４）。具体的にはペアリング要求待ち処理中のフラグをリセットする。そして、ＳＴ４１へジャンプする。
【００６５】
一方、受信データが有る場合（ＳＴ４２−Ｙ）、受信したデータはペアリング要求データか確認する（ＳＴ４４）。受信したデータがペアリング要求データである場合（ＳＴ４４−Ｙ）、次にペアリング要求待ち状態か確認する（ＳＴ４５）。ペアリング要求待ち状態でない場合（ＳＴ４５−Ｎ）、ＳＴ４１へジャンプする。
【００６６】
ペアリング要求待ち状態である場合（ＳＴ４５−Ｙ）、受信したペアリング要求データの送信元の識別子を室内機記憶部１３に記憶する（ＳＴ４６）。次にペアリング応答データの宛先をペアリング要求データでの送信元識別子にし、また、送信元を室内機記憶部１３から読み出した自身の識別子にして、ペアリング応答データを送信元へ返信する（ＳＴ４７）。そしてＳＴ４１へジャンプする。                  
【００６７】
一方、受信したデータがペアリング要求データで無い場合（ＳＴ４４−Ｎ）、受信したデータがペアリング確認応答データか確認する（ＳＴ５３）。受信したデータがペアリング確認応答データの場合（ＳＴ５３−Ｙ）、ＳＴ５４へジャンプする。  
【００６８】
受信したデータがペアリング確認応答データでない場合（ＳＴ５３−Ｎ）、受信したデータはペアリング開始指示データか確認する（ＳＴ４８）。受信したデータがペアリング開始指示データである場合（ＳＴ４８−Ｙ）、ペアリング要求待ち処理を開始する（ＳＴ５１）。そしてＳＴ４１へジャンプする。ペアリング要求待ち処理の開始とは、ペアリング要求待ち処理中のフラグをセットすることである。
【００６９】
一方、受信したデータがペアリング開始指示データでない場合（ＳＴ４８−Ｎ）、受信データの内容に従って制御を行う（ＳＴ４９）。これは通常の空調運転制御などである。そしてＳＴ４１へジャンプする。
【００７０】
本実施例では室内機とペアリングする機器を無線リモコンとパソコンとで説明しているが、これに限るものでなく、無線リモコンと他の無線機器、例えばスマートフォンや加湿器などであってもよい。また、室内機のサービスボタンを室内機のペアリング処理開始のトリガにしているが、これに限るものでなく、専用のボタンや他のスイッチであってもよい。
【符号の説明】
【００７１】
１０  室内機
１１  室内機通信部
１２  通信部
１３  室内機記憶部
１４  室内機制御部
１５  サービスボタン（スイッチ）
２０  室外機
３０  無線リモコン
３１  キー入力部
３２  リモコン記憶部
３３  表示部
３４  リモコン通信部
３５  リモコン制御部
８０  パソコン
８１  キーボード部
８２  パソコン記憶部
８２  表示部
８３  パソコン記憶部
８４  パソコン通信部
８５  パソコン制御部
８９  パソコン本体
【図１】
0005962059.tif 000002
【図２】
0005962059.tif 000003
【図３】
0005962059.tif 000004
【図４】
0005962059.tif 000005
【図５】
0005962059.tif 000006
【図６】
0005962059.tif 000007
【図７】
0005962059.tif 000008
【図８】
0005962059.tif 000009